(57)【要約】【課題】  安価な構成で遊技島を構築できる遊技媒体貸出しシステムを提供する【解決手段】遊技媒体を貸し出す遊技媒体貸出しシステムにおいて、遊技客が貨幣を入金する貨幣入金機と、遊技客に遊技媒体を貸し出す遊技媒体貸出機と、貨幣入金機と遊技媒体貸出機に夫々設けられ、遊技客の身体情報を読み取る身体情報認証装置と、貨幣入金機にて入金した貨幣金額をデータとし、遊技客の身体情報と共に登録管理するサーバと、を有し、遊技客の身体情報を遊技媒体貸出機にて認証を行い、サーバにて登録管理されている身体情報と一致した場合に、身体情報と共に登録管理されている貨幣金額のデータから相当額引き落としを行い、遊技媒体を貸し出すことにより達成される。【選択図】      図１
2008110121.tif 000002
【特許請求の範囲】
【請求項１】
遊技媒体を貸し出す遊技媒体貸出しシステムにおいて、
遊技客が貨幣を入金する貨幣入金機と、
遊技客に遊技媒体を貸し出す遊技媒体貸出機と、
前記貨幣入金機と前記遊技媒体貸出機に夫々設けられ、
遊技客の身体情報を読み取る身体情報認証装置と、
前記貨幣入金機にて入金した貨幣金額をデータとし、
遊技客の身体情報と共に登録管理するサーバと、を有し、
遊技客の身体情報を前記遊技媒体貸出機にて認証を行い、
前記サーバにて登録管理されている身体情報と一致した場合に、
身体情報と共に登録管理されている貨幣金額のデータから相当額引き落としを行い、
遊技媒体を貸し出すことを特徴とする遊技媒体貸出しシステム。
【発明の詳細な説明】
【技術分野】
【０００１】
本発明は、パチンコ玉やメダル等を貸し出す遊技媒体貸出しシステムに関する。
【背景技術】
【０００２】
従来、パチンコ、パチスロ遊技店においては、パチンコ台やスロットマシン等の遊技台を横方向、直線的に配列し、遊技台一台毎に、遊技客が投入する紙幣や硬貨の真偽判定を行う紙幣識別機、硬貨識別機を備えた遊技媒体貸出機が連接され、前記遊技媒体貸出機の背面には遊技台配列方向に沿って紙幣、及び硬貨を遊技島端に設置された回収・両替機に搬送する紙幣搬送装置、及び硬貨搬送装置が設けられ、遊技島を構築しシステム化を行っている。
【０００３】
昨今、遊技媒体貸出機の高機能化が進み、紙幣、硬貨の他、ＩＣカード、ＩＣコイン等、記録媒体が投入可能とした遊技媒体貸出機が多くある。このような高機能の遊技媒体貸出機として下記文献が開示されている。この遊技媒体貸出機は遊技媒体での遊技に用いる遊技媒体との等価交換が可能な硬貨及び有価データが記憶されたＩＣコインを受け入れるコイン受入部と、紙幣を受け入れる紙幣挿入部と、会員カードを受け入れる会員カード処理部を備えたものである。また、それに伴い、遊技台の売上等を管理するホールコンピュータ以外にもＩＣカード、ＩＣコイン等、記録媒体の情報管理を行う管理装置を設置している。
【特許文献１】特開２００５―３０９８６４
【発明の開示】
【発明が解決しようとする課題】
【０００４】
しかしながら、遊技島を構築する際、紙幣搬送装置や硬貨搬送装置等の遊技島設備を取り付け、施工を行うため、施工作業に手間がかかった。また、上記装置の購入費用に合わせて、高性能である遊技媒体貸出機も高価であり、機器費用、並びに遊技島を構築する際の施工費用がかかり、遊技島をシステム化することが非常に高価であった。さらに、紙幣、硬貨以外にもＩＣコイン、ＩＣカード等の記録媒体を必要とするので、遊技客においては操作が複雑であり、また、遊技店側においては前記記録媒体の管理が煩雑であった。
【０００５】
本発明は上記課題を鑑み、安価な構成で遊技島を構築できる遊技媒体貸出しシステムを提供する。
【課題を解決するための手段】
【０００６】
遊技媒体を貸し出す遊技媒体貸出しシステムにおいて、遊技客が貨幣を入金する貨幣入金機と、遊技客に遊技媒体を貸し出す遊技媒体貸出機と、貨幣入金機と遊技媒体貸出機に夫々設けられ、遊技客の身体情報を読み取る身体情報認証装置と、貨幣入金機にて入金した貨幣金額をデータとし、遊技客の身体情報と共に登録管理するサーバと、を有し、遊技客の身体情報を遊技媒体貸出機にて認証を行い、サーバにて登録管理されている身体情報と一致した場合に、身体情報と共に登録管理されている貨幣金額のデータから相当額引き落としを行い、遊技媒体を貸し出すことにより達成される。
【発明の効果】
【０００７】
本発明によれば、遊技客は貨幣入金機、及び貨幣返却機にて、遊技場で使用する貨幣を入金、返却が可能であるため、遊技島に紙幣搬送装置、硬貨搬送装置等の遊技島設備を設置せずとも安価な構成で遊技島を構築することができる。また、遊技媒体貸出機には身体情報認証装置のみを設けるので、紙幣識別機、硬貨識別機、会員カード処理部等を内部に設けずとも遊技媒体貸出機を安価に構成することができる。さらに、遊技客の貨幣は身体情報と共にサーバにて管理するため、遊技媒体の貸出し、台移動等に必要なＩＣカード、ＩＣコイン等記録媒体の使用を無くすことで、遊技媒体貸出機の操作を複雑化せず、また、遊技店での管理がなくなり、煩雑化を防ぐ。
【実施例１】
【０００８】
以下、各図面に基づき本発明の遊技媒体貸出しシステムを詳細に説明する。  図１は遊技媒体貸出しシステムの概要構成図を示す図である。図1において、遊技場では複数の遊技台１（パチンコ台）と、前記遊技台１に互いに隣接して配された遊技媒体貸出機２１と、が遊技場機器として設置されている。前記遊技媒体貸出機２１は通信線３を介しサーバ５に接続され、通信を行っている。また、遊技場には遊技客が貨幣を入金する貨幣入金機と、該遊技客が貨幣を精算する貨幣精算機と、を一体にした貨幣入金返却機１１が設置され、該貨幣入金返却機１１は通信線３を介しサーバ５に接続されている。前記貨幣入金返却機１１と前記遊技媒体貸出機２１には夫々、遊技客の身体情報の読み取る身体情報認証装置１３、２３が設けられている。
【０００９】
サーバ５は遊技場内事務所等に設置されており、遊技客が前記貨幣入金返却機１１にて入金した貨幣金額をデータ（度数）として保存し、管理を行うものある。また、該遊技客の入金時に合わせて登録を行う身体情報を前述する貨幣金額と共にデータベース化し管理を行う。前記サーバ５は通信線３を介し、遊技場に設置されている複数の遊技媒体貸出機２１や貨幣入金返却機１１と接続されているとしたが、有線、無線とどちらでもよい。また、本発明では、サーバ５は遊技場内に設置されているが、遊技場外にて第三者機関が設置、管理してもよい。
【００１０】
本実施例において、前述する遊技客の身体情報とは、該遊技客の指紋情報であり、前記貨幣入金返却機１１と前記遊技媒体貸出機２１に設けられた身体情報認証装置１３、２３にて該遊技客の指紋を読み取り、サーバ５に登録を行う。遊技客から読み取りを行う身体情報を指紋としたが、他の身体情報でも実施可能とする。（例えば、声紋、血流、虹彩等）
【００１１】
図２は貨幣入金返却機１１の正面図を示す図である。貨幣入金返却機１１は、略長方形状であり、縦長の箱形状の架台１１ａに設置されている。前記貨幣入金返却機１１の前面側には、遊技客の身体情報（指紋情報）を読み取り、サーバ５に登録を行う身体情報認証装置１３と、遊技客に使用手順などの情報を表示する表示部１５と、遊技客が貨幣を入金する貨幣入金口１７と、貨幣の払い出しを行う貨幣返却口１９と、前面側を施錠する鍵１１ｂと、が設けられている。
【００１２】
前記貨幣入金口１７は、遊技客の貨幣を受け入れるものであり、該遊技客が入金した貨幣の真偽判定を行う。貨幣を真偽判定した結果、正規と判断された場合に該貨幣を貨幣入金返却機１１の内部に収納する。前記貨幣返却口１９は、遊技客が貨幣入金返却機１１にて返却操作を行った際、貨幣を該遊技客に払い出し、返却を行うものである。
【００１３】
表示部１５では図５に示すように、遊技客に貨幣入金動作、貨幣返却動作、指紋登録動作などの使用手順等の情報を表示する。また、前記表示部１５は遊技客が操作可能なタッチパネルであり、遊技客は前記表示部１５に表示された情報を見ながら入金操作、返却操作、指紋登録動作等の操作を行うことができる。
【００１４】
本実施例において、貨幣入金返却機１１は入金機能、返却機能を一台に備えたが、図７、（ａ）、（ｂ）に示すとおり、貨幣入金機３０と、貨幣返却機３１として、別体で構成してもよい。前記貨幣入金機３０と、前記貨幣返却機３１は、夫々架台１１ａに設置され、表示部１５と、身体情報認証装置１３と鍵１１ｂが設けられており、前記貨幣入金機３０には、遊技客の貨幣を受け入れる貨幣入金口１７を設け、また、前記貨幣返却機３１には、遊技客の貨幣を該遊技客に払い出し、返却を行う貨幣返却口１９が設けられている。
【００１５】
図３は身体情報認証装置１３の外観斜視図を示す図である。身体情報認証装置１３は、略四角形状であり、上面部に配された０から９の番号スイッチ１３ａと、該番号スイッチ１３ａに隣接して配された設定スイッチ１３ｂと、前面側に突出し穴形状と成した指紋読取部１３ｃと、該指紋読取部１３ｃの上面に位置し、発光、点滅を行う状態表示ランプ１３ｄと、から構成されている。
【００１６】
前記指紋読取部１３ｃは、前面側に突出し、略中央部が穴形状となっている。穴形状の内部には遊技客の指紋を読み取る検出部（図示せず）が設けられ、遊技客が指を穴に差し込むことで指紋の読み取り、サーバ５に登録を行うことができる。また、上面に配した前記状態表示ランプ１３ｄは、発光、点滅することで遊技客に読み取り状態、登録完了状態等、状態を表示する。
【００１７】
番号スイッチ１３ａは０から９の数字のプッシュボタンであり、遊技客が貨幣の返却を行う際、図５、表示フロー１１３にて、サーバ５より与えられた遊技客の番号を入力するものである。また、該番号スイッチ１３ａに隣接して配された設定スイッチ１３ｂは、遊技客が番号スイッチ１３ａにて番号を入力した際、入力した番号の変更、消去、決定等を行うスイッチである。
【００１８】
図４は遊技媒体貸出機２１の外観斜視図を示す図である。
遊技媒体貸出機２１は、縦長形状であり、複数の遊技台１に互いに隣接して配される。前記遊技媒体貸出機２１の前面側には、遊技媒体貸出機２１の動作状態を発光、点滅等で表示する状態表示ランプ２１ａと、遊技客に使用手順等の情報を表示する表示部２１ｂと、遊技媒体（遊技玉）の貸し出す貸出ボタン２１ｃと、精算を行う精算ボタン２１ｄと、０から９までの番号を配した番号スイッチ２１ｅと、遊技客が該番号スイッチ２１ｅにて入力した番号を決定する決定スイッチ２１ｆと、から構成されている。
【００１９】
また、前面側略中央部には、遊技台１に遊技媒体を貸し出す玉供給ノズル２５ａを配した供給部２５が設けられている。また、前記供給部２５の上方部には、身体情報認証装置２３が設けられ、遊技客の指紋を読み取る指紋読取部２３ａと、該遊技客が遊技を行う際に押す遊技ボタン２３ｂと、から構成されている。指紋読取部２３ａは穴形状であり、内部には遊技客の指紋を読み取る検出部（図示せず）が設けられ、遊技客が指を穴に差し込むことで指紋を読み取ることができる。
【００２０】
遊技媒体貸出機２１の背面では通信線３が接続されている。前記通信線３は遊技媒体貸出機２１とサーバ５とを接続し、貨幣入金返却機１１に入金された貨幣金額、指紋情報を交信する。また、遊技媒体貸出機２１は、遊技島より遊技媒体を補給し、該遊技媒体貸出機２１の内部に設けられた玉貸部（図示せず）に送られる。前記玉貸部は供給部２５に配した玉供給ノズル２５ａと連通し、遊技客が遊技媒体貸出機２１の貸出ボタン２１ｃを押すことによって、該玉貸部が駆動し、遊技媒体を玉供給ノズル２５ａに送り、遊技台１へ貸し出す。
【００２１】
表示部２１ｂは、液晶画面にて構成され、遊技客に使用手順等の情報を表示する。使用手順を表示することで遊技客は指紋読取動作等がわかりやすく認識することができる。また、サーバ５より遊技客の貨幣金額を受信し、入金残高表示、遊技による減算表示を行う。
【００２２】
次に図５、図６を用いて本発明である遊技媒体貸出しシステムの作用を説明する。
図５は貨幣入金返却機１１に設けられた表示部１５の動作表示フローであり、図６は遊技媒体貸出機２１の遊技動作フローを示す図である。
先ず遊技客は遊技場に来店した際、貨幣入金返却機１１に指紋登録、及び貨幣入金を行う。前記貨幣入金返却機１１の表示部１５は、表示フロー１００に示すように入金ボタン１１０と返却１２０が表示されている。遊技客は入金ボタン１１０を押すことで矢印１へ、返却ボタン１２０を押すことで矢印２へ移行する。
【００２３】
遊技客は入金ボタン１１０を押し、矢印１へ移行すると、指紋登録を行う表示「指紋登録を行います。お客様の指を読取部へ入れて下さい。」（表示フロー１１１）と表示し、遊技客に指紋登録を行うことを促す。該遊技客は表示内容に従い、身体情報認証装置１３の指紋読取部１３ｃへ指を挿入する。指紋読取部１３ｃで指紋の読み取りを行っている間は「読み込み中です。しばらくお待ち下さい」（表示フロー１１２）と表示する。読み取った指紋のデータはサーバ５に送信し、該サーバ５の遊技客リストに登録する。その際、サーバ５では他の遊技客と同一でない任意の番号を作成し、前記番号を前記サーバ５に登録された指紋のデータに付与し、合わせて登録を行う。サーバ５にて登録を終了後、前述する任意の番号を貨幣入金返却機１１へ送信する。
【００２４】
遊技客の指紋がサーバ５に登録された後、表示フロー１１３を表示する。前記表示フロー１１３では指紋の登録が完了した報告と合わせて、サーバ５から送信された任意の番号を表示し、遊技客に入金を促す。遊技客は表示フロー１１３に従い、貨幣を貨幣入金口１７に投入する。貨幣入金返却機１１は、投入した貨幣の真偽判定を行い、真偽判定した結果、正規と判断された場合に表示フロー１１４にて貨幣入金金額を表示し、入金するか（ＹＥＳ）入金しないか（ＮＯ）を選択する内容を表示する。その後、遊技客がＹＥＳボタンを押すことで、サーバ５では遊技客の指紋、前記サーバ５より付与された番号、及び貨幣金額が一対として登録され、「入金しました。遊技をお楽しみ下さい」（表示フロー１１５）と表示する。前記表示フロー１１５を表示後、表示部１５は表示フロー１００を表示し、待機状態となる。
【００２５】
続いて、図６に示す遊技動作フローチャートにて、遊技媒体の貸出し方法を説明する。
遊技台１と共に隣接して配された遊技媒体貸出機２１は、ステップ２００において遊技客が遊技媒体の借り入れるまで待機状態となっている。ステップ２０１において遊技客が遊技ボタン２３ｂを押すことより（ステップ２０１：ＹＥＳ）、指紋読取動作に移行する。その際、表示部２１ｂでは遊技客に指紋を読み取らせる使用手順を表示し、遊技客は該表示部２１ｂの指示に従い、指を指紋読取部２３ａへ挿入する。本実施例では、遊技客が遊技ボタン２３ｂを押すことより、指紋読取動作に移行するとしたが、該遊技客が指を指紋読取部２３ａへ挿入することで指紋読取動作に移行してもよい。
【００２６】
ステップ２０３において、挿入された指から指紋を読み取り、該指紋のデータをサーバ５へ送信する。指紋のデータがサーバ５に保存された登録リストに登録されているものかを検索し、登録されていれば（ステップ２０３：ＹＥＳ）表示部２１ｂにて番号入力の指示を表示し、遊技客は遊技媒体貸出機２１に設けた番号スイッチ２１ｅで、図５、表示フロー１１３にて貨幣入金返却機１１より付与された番号を入力する。（ステップ２０４）また、遊技客の指紋が登録されていない場合（ステップ２０３：ＮＯ）は待機状態に戻る。
【００２７】
ステップ２０５において遊技客が入力した番号をサーバ５へ送信し、指紋のデータと共に登録された番号と一致するか判定を行い、一致した場合（ステップ２０５：ＹＥＳ）遊技客の認証が完了し、サーバ５は該遊技客の貨幣金額を遊技媒体貸出機２１に送信し、該遊技媒体貸出機２１の表示部２１ｂに貨幣金額を入金残高として表示する。（ステップ２０７）遊技客が入力した番号とサーバ５に登録されている番号が一致しない場合（ステップ２０５：ＮＯ）遊技客は再度、番号を入力する。入力回数が３回を超えると（ステップ２０６：ＹＥＳ）、待機状態へ戻る。本実施例において入力回数を３回と記したが、入力回数は任意でもよい。
【００２８】
ステップ２０８より遊技媒体の貸出し動作へ移行する。遊技客は貸出しボタン２１ｃを押すことで（ステップ２０８：ＹＥＳ）表示部２１ｂにて表示されている入金残高より相当額引き落とし（本実施例では１０００円分）を行い、表示部２１ｂに減算額を表示後、遊技媒体貸出機２１の内部に設けた玉貸部が駆動し、該玉貸部と連通した遊技媒体供給ノズル２５ａによって遊技媒体を遊技台１に貸し出す。（ステップ２０９、２１０）
【００２９】
ステップ２１１において、遊技客が再度貸出ボタン２１ｃを押すことで（ステップ２１１：ＹＥＳ）入金残高より減算を行い、表示部２１ｂに減算額を表示後、玉貸部が駆動し遊技媒体を遊技台１に貸し出すことが可能である。また、ステップ２１２において、遊技客が離席（遊技終了、食事、トイレ等）するため精算ボタン２１ｄを押した際（ステップ２１２：ＹＥＳ）、表示部２１ｂに表示されている減算後の入金残高をサーバ５へ送信し、再登録を行う。
【００３０】
また、遊技客は台移動し他の遊技台１へ移り、該遊技台１に配された遊技媒体貸出機２１にて同様の操作を行うことで遊技媒体を遊技台１に貸し出し、遊技を楽しむことができる。
【００３１】
図５の動作表示フローを用いて、遊技が終了した遊技客への貨幣の返却処理を説明する。
遊技が終了した遊技客は、貨幣入金返却機１１の表示部１５に表示された表示フロー１００の返却ボタン１２０を押し矢印２へ移行する。表示部１５では「登録を確認します。お客様の指を読取部へ入れて下さい。」（表示フロー１２１）と表示し、遊技客は表示部１５に従い、身体情報認証装置１３の指紋読取部１３ｃへ指を差し込み、指紋の読み取りを行う。
【００３２】
指紋読取部１３ｃで指紋の読み取りを行っている間は「読み込み中です。しばらくお待ち下さい」（表示フロー１２２）と表示する。貨幣入金返却機１１は読み取った指紋のデータをサーバ５へ送信し、サーバ５に保存された登録リストに登録されているものかを検索し、登録されていれば表示部１５にて番号入力の指示を表示する。（表示フロー１２３）
【００３３】
遊技客は指示に従い、身体情報認証装置１３の番号スイッチ１３ａにて番号を入力する。貨幣入金返却機１１は遊技客が入力した番号をサーバ５へ送信し、指紋のデータと共に登録された番号と一致するか判定を行い、一致した場合、遊技客の認証が完了し、サーバ５は該遊技客の貨幣金額を貨幣入金返却機１１に送信し、表示部１５に前記貨幣金額を残金として表示し、合わせて該残金を返却するか（ＹＥＳ）返却しないか（ＮＯ）を選択する内容を表示する。（表示フロー１２４）遊技客がＹＥＳボタンを押すことで、貨幣返却口１９より貨幣を返却する。
【００３４】
本発明において、貨幣入金返却機１１にて入金した貨幣を、遊技媒体貸出機２１に設けられた身体情報認証装置２３にて遊技客の認証を行い、遊技媒体を貸し出すシステムの構築が可能であり、遊技客は貨幣を遊技媒体貸出機２１に投入することがなくなるため、遊技島内に紙幣搬送装置、硬貨搬送装置等の遊技島設備を設置しなくてもよく、安価な構成でシステム化が可能である。また、遊技媒体貸出機２１は、紙幣識別機、硬貨識別機等を遊技媒体貸出機２１の内部に設けなくてもよく、安価に構成することが可能となる。
【００３５】
本実施例において、貨幣入金返却機１１、及び遊技媒体貸出機２１にて、遊技客を認証するために身体情報の登録と任意の番号の付与を必要としたが、身体情報の登録のみの認証でもよい。また、遊技台１より玉を貸し出す場合は、図８に示すとおり、表示部３３ａを備えた身体情報認証装置３３を遊技台１に隣接して配してもよい。
【００３６】
本実施例において、前述する遊技媒体貸出しシステムは、遊技台１をパチンコ台とし、遊技媒体として遊技玉を貸し出すシステムで記述したが、スロット台が配された遊技場において、遊技媒体としてメダルを貸し出すシステムにも転用可能とする。
【図面の簡単な説明】
【００３７】
【図１】遊技媒体貸出しシステムの概要構成図を示す図である。
【図２】貨幣入金返却機の正面図を示す図である。
【図３】身体情報認証装置の外観斜視図を示す図である。
【図４】遊技媒体貸出機の外観斜視図を示す図である。
【図５】貨幣入金返却機に設けられた表示部の動作表示フローを示す図である。
【図６】遊技媒体貸出機の遊技動作フローを示す図である。
【図７】本発明の他の実施例を示す図である。
【図８】本発明の他の実施例を示す図である。
【符号の説明】
【００３８】
１      遊技台  ３      通信線  ５      サーバ１１    貨幣入金返却機１３    身体情報認証装置１３ｃ  指紋読取部１５    表示部２１    遊技媒体貸出機２１ｂ  表示部２３    身体情報認証装置２３ａ  指紋読取部３０    貨幣入金機３１    貨幣返却機３３    身体情報認証装置３３ａ  表示部
【図１】
2008110121.tif 000003
【図２】
2008110121.tif 000004
【図３】
2008110121.tif 000005
【図４】
2008110121.tif 000006
【図５】
2008110121.tif 000007
【図６】
2008110121.tif 000008
【図７】
2008110121.tif 000009
【図８】
2008110121.tif 000010